(57)【要約】      （修正有）【課題】複数の配色パターン画面の中から、色覚障害者であっても表示対象の存在を正確に認識可能な配色パターン画面を選択させる配色パターン画面表示装置を提供する。【解決手段】周縁に枠線が設けられていない表示対象b1〜b6、S1、S2、C1〜C3、B1〜B4が背景画像H1の中に配置され、背景画像及び表示対象に対して任意の色が設定された配色パターンを持つ複数の配色パターン画面を記憶しておき、表示対象の周縁に枠線を付加した枠線付配色パターン画面を生成する。通常の画面操作を行うための表示対象が配置された操作画面R1を表示部2に表示する通常表示モードから、ユーザ所望の配色パターン画面を選択する配色パターン選択モードに切り換えた場合、複数の枠線付配色パターン画面を表示部2に表示させる。【選択図】図１
2017004090.tif 000002
【特許請求の範囲】
【請求項１】
周縁に枠線が設けられていない複数の表示対象が背景画像の中に配置され、前記背景画像および前記複数の表示対象に対して任意の色が設定された配色パターンを持つ複数の配色パターン画面を記憶する記憶部と、
前記配色パターン画面における前記複数の表示対象の周縁に前記枠線を付加した複数の枠線付配色パターン画面を生成する生成部と、
通常の画面操作を行うための複数の表示対象が配置された操作画面を所定の表示部に表示する通常表示モードから、ユーザ所望の前記配色パターン画面を選択する配色パターン選択モードに切り換えた場合、前記生成部により生成された前記複数の枠線付配色パターン画面を表示部に表示させる表示制御部と
を備えることを特徴とする配色パターン画面表示装置。
【請求項２】
前記複数の枠線付配色パターン画面の中からユーザ所望の前記枠線付配色パターン画面を選択させたときの選択結果を受け付ける受付部と
を更に備え、
前記表示制御部は、前記受付部の前記選択結果に対応した前記枠線付配色パターン画面と同じ配色パターンに前記背景画像および前記複数の表示対象を設定した操作画面を生成して前記表示部に表示させる
ことを特徴とする請求項１に記載の配色パターン画面表示装置。
【請求項３】
前記枠線付配色パターン画面において配置された前記複数の表示対象のレイアウトは、前記操作画面において配置された前記複数の表示対象と同一である
ことを特徴とする請求項１に記載の配色パターン画面表示装置。
【請求項４】
前記生成部は、モノクロームの前記枠線を付加する
ことを特徴とする請求項３に記載の配色パターン画面表示装置。
【請求項５】
前記生成部は、前記枠線として白枠線または黒枠線を付与する
ことを特徴とする請求項４に記載の配色パターン画面表示装置。
【請求項６】
前記生成部は、前期枠線として前記表示対象ごとに白枠線または黒枠線を付加する
ことを特徴とする請求項４に記載の配色パターン画面表示装置。
【請求項７】
前記生成部は、前記枠線として交互に白色と黒色とが配置された点線状の枠線を付加する
ことを特徴とする請求項４に記載の配色パターン画面表示装置。
【請求項８】
前記生成部は、前記複数の表示対象のそれぞれに対して当該表示対象に設定された前記色の名称を表す白文字および黒文字の双方を前記表示対象に付加する色名称付加部を備える
ことを特徴とする請求項４乃至６いずれか１項に記載の配色パターン画面表示装置。
【請求項９】
前記表示制御部は、前記複数の表示対象のそれぞれに付加する前記白文字および前記黒文字を所定時間ごとに交互に表示させる
ことを特徴とする請求項８に記載の配色パターン画面表示装置。
【発明の詳細な説明】
【技術分野】
【０００１】
本発明は、配色パターン画面表示装置に関し、特に、背景画像Ｈ１の中に配置されるボタンやアイコン等の各種の表示対象に設定される配色パターンを選択する際の配色パターン画面を表示する配色パターン画面表示装置に関する。
【背景技術】
【０００２】
従来、複数種類の色で色分けされた複数のボタンが背景画像の中に配置された通常の操作画面をＬＣＤ(Liquid Crystal Display)に表示し、これらのボタンが指またはペンによりタッチ（接触）されることに応じて入力操作を受け付けるタッチパネル装置がある。
【０００３】
このようなタッチパネル装置を使用するユーザの中には色覚障害者も存在するため、タッチパネル装置においては、色覚障害者にとって認識可能な色で着色したボタンを配置した操作画面をＬＣＤに表示することが行われている（例えば、特許文献１を参照。）。
【０００４】
その際、タッチパネル装置は、背景画像の背景色とボタンの色に様々な配色パターンが施された画面（以下、これを「配色パターン画面」と呼ぶ。）を複数用意し、その複数の配色パターン画面を色覚障害者に目視確認させ、その中から色覚障害者にとってボタンの色を認識可能な配色パターン画面を選択させる。
【０００５】
ところで、近年、表示画面に「フラットデザイン」というウェブデザイン手法が導入されている。このフラットデザインは、シンプルで、伝わりやすく、無駄な要素を排除したデザインである。
【０００６】
フラットデザインによる表示画面は、その表示画面中のボタンやアイコン等の表示対象の周縁を囲む枠の線（以下、これを「枠線」と呼ぶ。）等の立体的な表現の存在しないフラットなボタンやアイコンで構成されている。
【０００７】
例えば、図１１には、その周縁に枠線等の立体的な表現が付加されていないフラットなボタンやアイコンが配置された配色パターン画面Ｇ１の一例を示す。この配色パターン画面Ｇ１には、背景画像Ｈ１の中央に温度表示部Ｓ１および設定温度表示部Ｓ２が矢印ｙに示す上下方向に互いに接触した状態で配置されている。
【０００８】
温度表示部Ｓ１の上方には、矩形状の小ボタンｂ１〜ｂ６がその長手方向に互いに接触した状態で矢印ｘに示す水平方向に沿って配置されている。また、設定温度表示部Ｓ２の下方には、矩形状の大ボタンＢ１〜Ｂ４が互いに接触することなくそれぞれ独立した状態で水平方向に沿って配置されている。さらに、温度表示部Ｓ１および設定温度表示部Ｓ２の右側には、円形ボタンＣ１〜Ｃ３が上下方向に互いに接触することなくそれぞれ独立した状態で配置されている。
【０００９】
なお、以降の説明では、配色パターン画面Ｇ１において、温度表示部Ｓ１、設定温度表示部Ｓ２、小ボタンｂ１〜ｂ６、大ボタンＢ１〜Ｂ４、および、円形ボタンＣ１〜Ｃ３を「表示対象」と呼ぶことがある。
【００１０】
この配色パターン画面Ｇ１の背景画像Ｈ１は灰色であり、温度表示部Ｓ１は赤色でその中の数字が青色であり、設定温度表示部Ｓ２は緑色でその中の数字が青色であり、小ボタンｂ１、ｂ３、ｂ５は赤色であり、小ボタンｂ２、ｂ４、ｂ６は緑色であり、大ボタンＢ１〜Ｂ４は黄色であり、円形ボタンＣ１は赤色であり、円形ボタンＣ２は緑色であり、円形ボタンＣ３は青色である。
【００１１】
色覚健常者であれば、配色パターン画面Ｇ１で設定された表示対象の全ての色を見分けることが可能である。しかしながら、例えば、赤色と緑色とが同じ色に見えて区別できない色覚障害者にとっては、小ボタンｂ１〜ｂ６を互いに区別して認識することができず、小ボタンｂ１〜ｂ６が全て繋がった矢印ｘ方向に細長い１つのボタンに見えてしまう。
【先行技術文献】
【特許文献】
【００１２】
【特許文献１】特開２００５−７８３５９号公報
【発明の概要】
【発明が解決しようとする課題】
【００１３】
ところで、このようなフラットデザインによる配色パターン画面Ｇ１では、色覚障害者がそれぞれの小ボタンｂ１〜ｂ６を個別に区別して認識することができないので、色覚障害者は小ボタンｂ１〜ｂ６の存在にすら気付かないおそれがある。
【００１４】
このため色覚障害者がこの配色パターンの配色パターン画面Ｇ１を選択してしまうと、その配色パターン画面Ｇ１に対応して実際に表示される通常の操作画面において、小ボタンｂ１〜ｂ６に対するボタン操作を誤ってしまうという問題があった。
【００１５】
本発明はこのような問題を解決するためのものであり、複数の配色パターン画面の中から、色覚障害者であっても表示対象の存在を正確に認識可能な配色パターン画面を選択させることのできる配色パターン画面表示装置を提供することを目的としている。
【課題を解決するための手段】
【００１６】
この目的を達成するために、本発明は、周縁に枠線が設けられていない複数の表示対象（ｂ１〜ｂ６、Ｓ１〜Ｓ２、Ｃ１〜Ｃ３、Ｂ１〜Ｂ４）が背景画像（Ｈ１）の中に配置され、前記背景画像（Ｈ１）および前記複数の表示対象（ｂ１〜ｂ６、Ｓ１〜Ｓ２、Ｃ１〜Ｃ３、Ｂ１〜Ｂ４）に対して任意の色が設定された配色パターンを持つ複数の配色パターン画面（Ｇ１〜Ｇｎ）を記憶する記憶部（４）と、前記配色パターン画面（Ｇ１〜Ｇｎ）における前記複数の表示対象（ｂ１〜ｂ６、Ｓ１〜Ｓ２、Ｃ１〜Ｃ３、Ｂ１〜Ｂ４）の周縁に前記枠線を付加した複数の枠線付配色パターン画面（ＷＧ１〜ＷＧｎ）を生成する生成部（５）と、通常の画面操作を行うための複数の表示対象（ｂ１〜ｂ６、Ｓ１〜Ｓ２、Ｃ１〜Ｃ３、Ｂ１〜Ｂ４）が配置された操作画面（Ｒ１）を所定の表示部（２）に表示する通常表示モードから、ユーザ所望の前記配色パターン画面（Ｇ１〜Ｇｎ）を選択する配色パターン選択モードに切り換えた場合、前記生成部（５）により生成された前記複数の枠線付配色パターン画面（ＷＧ１〜ＷＧｎ）を表示部（２）に表示させる表示制御部（７）とを備えるようにする。
【００１７】
また、本発明において、前記複数の枠線付配色パターン画面（ＷＧ１〜ＷＧｎ）の中からユーザ所望の前記枠線付配色パターン画面（ＷＧ１）を選択させたときの選択結果を受け付ける受付部（２ａ）とを更に備え、前記表示制御部（７）は、前記受付部の前記選択結果に対応した前記枠線付配色パターン画面（ＷＧ１）と同じ配色パターンに前記背景画像（Ｈ１）および前記複数の表示対象（ｂ１〜ｂ６、Ｓ１〜Ｓ２、Ｃ１〜Ｃ３、Ｂ１〜Ｂ４）を設定した操作画面（Ｒ１）を生成して前記表示部（２）に表示させるようにする。
【００１８】
本発明において、前記枠線付配色パターン画面（ＷＧ１）において配置された前記複数の表示対象（ｂ１〜ｂ６、Ｓ１〜Ｓ２、Ｃ１〜Ｃ３、Ｂ１〜Ｂ４）のレイアウトは、前記操作画面（Ｒ１）において配置された前記複数の表示対象（ｂ１〜ｂ６、Ｓ１〜Ｓ２、Ｃ１〜Ｃ３、Ｂ１〜Ｂ４）と同一であるようにする。
【００１９】
本発明において、前記生成部（５）は、モノクロームの前記枠線（ＷＬ、ＢＬ）を付加するようにする。
【００２０】
本発明において、前記生成部（５）は、前記枠線として白枠線（ＷＬ）または黒枠線（ＢＬ）を付加するようにする。
【００２１】
本発明において、前記生成部（５）は、前記枠線として前記表示対象（ｂ１〜ｂ６、Ｓ１〜Ｓ２、Ｃ１〜Ｃ３、Ｂ１〜Ｂ４）ごとに白枠線（ＷＬ）または黒枠線（ＢＬ）を付加するようにする。
【００２２】
本発明において、前記生成部（５）は、前記枠線として交互に白色と黒色とが配置された点線状の枠線（ＤＬ）を付加するようにする。
【００２３】
本発明において、前記生成部（５）は、前記複数の表示対象（ｂ１〜ｂ６、Ｓ１〜Ｓ２、Ｃ１〜Ｃ３、Ｂ１〜Ｂ４）のそれぞれに対して当該表示対象（ｂ１〜ｂ６、Ｓ１〜Ｓ２、Ｃ１〜Ｃ３、Ｂ１〜Ｂ４）に設定された前記色の名称を表す白文字および黒文字の双方を前記表示対象（ｂ１〜ｂ６、Ｓ１〜Ｓ２、Ｃ１〜Ｃ３、Ｂ１〜Ｂ４）に付加する色名称付加部（６）を備えるようにする。
【００２４】
本発明において、前記表示制御部（７）は、前記複数の表示対象（ｂ１〜ｂ６、Ｓ１〜Ｓ２、Ｃ１〜Ｃ３、Ｂ１〜Ｂ４）のそれぞれに付加する前記白文字および前記黒文字を所定時間ごとに交互に表示させるようにする。
【発明の効果】
【００２５】
本発明によれば、複数の配色パターン画面（Ｇ１〜Ｇｎ）の中から所望の配色パターン画面（Ｇ１）をユーザに選択させる際に、複数の枠線付配色パターン画面（ＷＧ１〜ＷＧｎ）を表示部（２）に表示させることにより、ユーザが色覚障害者であっても、枠線付配色パターン画面（ＷＧ１〜ＷＧｎ）の枠線の存在により複数の表示対象（ｂ１〜ｂ６、Ｓ１〜Ｓ２、Ｃ１〜Ｃ３、Ｂ１〜Ｂ４）の存在を明確に認識させることができるので、色覚障害者であっても複数の枠線付配色パターン画面（ＷＧ１〜ＷＧｎ）の中から表示対象（ｂ１〜ｂ６、Ｓ１〜Ｓ２、Ｃ１〜Ｃ３、Ｂ１〜Ｂ４）の存在を正確に認識可能な枠線付配色パターン画面（ＷＧ１）を選択させる際の支援を行うことができる。
【００２６】
本発明によれば、前記複数の枠線付配色パターン画面（ＷＧ１〜ＷＧｎ）の中から選択したユーザ所望の前記枠線付配色パターン画面（ＷＧ１）と同じ配色パターンに前記背景画像（Ｈ１）および前記複数の表示対象（ｂ１〜ｂ６、Ｓ１〜Ｓ２、Ｃ１〜Ｃ３、Ｂ１〜Ｂ４）を設定した操作画面（Ｒ１）を生成して表示部（２）に表示させることが可能となる。
【００２７】
本発明によれば、枠線付配色パターン画面（ＷＧ１）において配置された複数の表示対象（ｂ１〜ｂ６、Ｓ１〜Ｓ２、Ｃ１〜Ｃ３、Ｂ１〜Ｂ４）のレイアウトは、操作画面（Ｒ１）において配置された複数の表示対象（ｂ１〜ｂ６、Ｓ１〜Ｓ２、Ｃ１〜Ｃ３、Ｂ１〜Ｂ４）と同一であるので、ユーザにとっては通常表示モードにおいて表示される操作画面（Ｒ１）と同じ印象を持ち違和感のない複数の枠線付配色パターン画面（ＷＧ１〜ＷＧｎ）を目視することが可能となる。
【００２８】
本発明によれば、生成部（５）は、モノクロームの前記枠線（ＷＬ、ＢＬ）を付加することにより、複数の表示対象（ｂ１〜ｂ６、Ｓ１〜Ｓ２、Ｃ１〜Ｃ３、Ｂ１〜Ｂ４）とは明度の異なる枠線（ＷＬ、ＢＬ）により複数の表示対象（ｂ１〜ｂ６、Ｓ１〜Ｓ２、Ｃ１〜Ｃ３、Ｂ１〜Ｂ４）の存在を明確に認識させることが可能となる。
【００２９】
本発明によれば、枠線として白枠線（ＷＬ）または黒枠線（ＢＬ）を付加することにより、背景画像（Ｈ１）および複数の表示対象（ｂ１〜ｂ６、Ｓ１〜Ｓ２、Ｃ１〜Ｃ３、Ｂ１〜Ｂ４）が明度の数値の低い暗い色の場合にはコントラスト比の高くなる白枠線（ＷＬ）により、複数の表示対象（ｂ１〜ｂ６、Ｓ１〜Ｓ２、Ｃ１〜Ｃ３、Ｂ１〜Ｂ４）の存在を明確に認識させることが可能となり、また、背景画像（Ｈ１）および複数の表示対象（ｂ１〜ｂ６、Ｓ１〜Ｓ２、Ｃ１〜Ｃ３、Ｂ１〜Ｂ４）が明度の数値の高い明るい色の場合にはコントラスト比の高くなる黒枠線（ＢＬ）により、複数の表示対象（ｂ１〜ｂ６、Ｓ１〜Ｓ２、Ｃ１〜Ｃ３、Ｂ１〜Ｂ４）の存在を明確に認識させることが可能となる。
【００３０】
本発明によれば、枠線として表示対象（ｂ１〜ｂ６、Ｓ１〜Ｓ２、Ｃ１〜Ｃ３、Ｂ１〜Ｂ４）ごとに白枠線（ＷＬ）または黒枠線（ＢＬ）を付加することにより、複数の表示対象（ｂ１〜ｂ６、Ｓ１〜Ｓ２、Ｃ１〜Ｃ３、Ｂ１〜Ｂ４）に設定された色の明度の値に応じて白枠線（ＷＬ）または黒枠線（ＢＬ）の少なくとも一方のコントラスト比が一段と高くなるので、表示対象（ｂ１〜ｂ６、Ｓ１〜Ｓ２、Ｃ１〜Ｃ３、Ｂ１〜Ｂ４）の存在を明確に認識させることが可能となる。
【００３１】
本発明によれば、枠線として交互に白色と黒色とが配置された白黒点線状の枠線（ＤＬ）を付加することにより、背景画像（Ｈ１）や複数の表示対象（ｂ１〜ｂ６、Ｓ１〜Ｓ２、Ｃ１〜Ｃ３、Ｂ１〜Ｂ４）が色の明度の値の小さい暗い色の場合には、白黒点線を構成している白色が主に認識されるため白の点線としてユーザには鮮明に見え、また、背景画像（Ｈ１）や複数の表示対象（ｂ１〜ｂ６、Ｓ１〜Ｓ２、Ｃ１〜Ｃ３、Ｂ１〜Ｂ４）が色の明度の値の大きい明るい色の場合には、白黒点線を構成している黒色が主に認識されるため黒の点線としてオペレータには鮮明に見える。したがって、枠線付配色パターン画面（ＤＧ１）では、オペレータに対して複数の表示対象（ｂ１〜ｂ６、Ｓ１〜Ｓ２、Ｃ１〜Ｃ３、Ｂ１〜Ｂ４）の存在を瞬時に認識させることができる。
【００３２】
本発明によれば、複数の表示対象（ｂ１〜ｂ６、Ｓ１〜Ｓ２、Ｃ１〜Ｃ３、Ｂ１〜Ｂ４）のそれぞれに対して当該表示対象（ｂ１〜ｂ６、Ｓ１〜Ｓ２、Ｃ１〜Ｃ３、Ｂ１〜Ｂ４）に設定された色の名称を表す白文字および黒文字の双方を表示対象（ｂ１〜ｂ６、Ｓ１〜Ｓ２、Ｃ１〜Ｃ３、Ｂ１〜Ｂ４）に付加することにより、複数の表示対象（ｂ１〜ｂ６、Ｓ１〜Ｓ２、Ｃ１〜Ｃ３、Ｂ１〜Ｂ４）の色の明度の値が小さく暗い色の場合には、白文字で付加された色の名称がユーザには鮮明に見え、また、複数の表示対象（ｂ１〜ｂ６、Ｓ１〜Ｓ２、Ｃ１〜Ｃ３、Ｂ１〜Ｂ４）の色の明度の値が大きい明るい色の場合、黒文字で付加された色の名称がユーザには鮮明に見える。したがって、ユーザは複数の表示対象（ｂ１〜ｂ６、Ｓ１〜Ｓ２、Ｃ１〜Ｃ３、Ｂ１〜Ｂ４）の存在を枠線により瞬時に認識すると同時に、その配色についても認識することができる。
【００３３】
本発明によれば、複数の表示対象（ｂ１〜ｂ６、Ｓ１〜Ｓ２、Ｃ１〜Ｃ３、Ｂ１〜Ｂ４）のそれぞれに対して白文字で示される色の名称および黒文字で示される色の名称を所定時間ごとに交互に表示させることにより、白文字および黒文字の切り換え表示でユーザの注意を引きながら、白文字または黒文字の何れか一方がユーザには鮮明に見えるので、ユーザに対して複数の表示対象（ｂ１〜ｂ６、Ｓ１〜Ｓ２、Ｃ１〜Ｃ３、Ｂ１〜Ｂ４）の配色についても容易に認識させることができる。
【図面の簡単な説明】
【００３４】
【図１】本発明の実施の形態にかかる調節計の構成を示すブロック図である。
【図２】調節計の構成を示すブロック図である。
【図３】枠線付配色パターン画面生成部の構成を示すブロック図である。
【図４】白枠線付配色パターン画面の一例を示す図である。
【図５】黒枠線付配色パターン画面の一例を示す図である。
【図６】２種枠線付配色パターン画面の第一例を示す図である。
【図７】２種枠線付配色パターン画面の第二例を示す図である。
【図８】白黒点線枠線付配色パターン画面の一例を示す図である。
【図９】色名称付き白枠線付配色パターン画面の一例を示す図である。
【図１０】色名称付き白黒点線枠線付配色パターン画面の一例を示す図である。
【図１１】配色パターン画面を示す図である。
【発明を実施するための形態】
【００３５】
以下、図面を参照しながら本発明の実施の形態について説明する。
【００３６】
＜調節計の構成＞
図１に示すように、デジタル指示調節計１（以下、これを単に「調節計」と呼ぶ。）は、直方体形状の筐体１ａと、その筐体１ａの正面に設けられたタッチパネル式の液晶ディスプレイからなる表示部２と、その筺体１ａの内部に収納されて各種処理を行う処理部とを備えている。なお、調節計１は、図示しない装置の正面に装着される温度調節計である。
【００３７】
図２に示すように、調節計１は、表示部２、操作画面記憶部３、配色パターン画面記憶部４、枠線付配色パターン画面生成部５、色名称付加部６、および、表示制御部７を備えている。なお、枠線付配色パターン画面生成部５および色名称付加部６により本願発明の生成部が構成される。
【００３８】
表示部２は、液晶ディスプレイからなり、各種の表示を行う機能部である。また、表示部２は、その表面に抵抗膜方式または静電容量方式のタッチパネル２ａを備えており、タッチパネル２ａを介してオペレータからの指示を受け付ける受付部としても機能する。
【００３９】
操作画面記憶部３は、例えばハードディスクや半導体メモリ等で構成されている。操作画面記憶部３は、調節計１においてオペレータが後述する配色パターン選択モード以外で基本的な操作を通常行う表示モード（以下、これを「通常表示モード」と呼ぶ。）が設定されている場合に、表示部２に表示される操作画面Ｒ１を記憶している。
【００４０】
すなわち、操作画面Ｒ１は、通常表示モードが選択されている場合に表示部２に表示され、オペレータが、調節計１において、通常表示モードで基本的な操作を通常行う際に用いられる画面である。
【００４１】
この操作画面Ｒ１には、図１に示すように、背景画像Ｈ１の中央に温度表示部Ｓ１および設定温度表示部Ｓ２が矢印ｙに示す上下方向に互いに接触した状態で配置されている。
【００４２】
温度表示部Ｓ１の上方には、矩形状の小ボタンｂ１〜ｂ６がその長手方向に互いに接触した状態で矢印ｘに示す水平方向に沿って配置されている。また、設定温度表示部Ｓ２の下方には、矩形状の大ボタンＢ１〜Ｂ４が互いに接触することなくそれぞれ独立した状態で水平方向に沿って配置されている。さらに、温度表示部Ｓ１および設定温度表示部Ｓ２の右側には、円形ボタンＣ１〜Ｃ３が上下方向に互いに接触することなくそれぞれ独立した状態で配置されている。
【００４３】
大ボタンＢ１およびＢ４は、通常の操作画面Ｒ１から配色パターン画面Ｇ１（図１１参照。）に遷移するために用いられるボタンである。大ボタンＢ１およびＢ４の双方が５秒間以上押し続けられると、操作画面Ｒ１から配色パターン画面Ｇ１に切り替えられ、それ以降、大ボタンＢ１〜Ｂ４は配色パターンを選択するためのボタンとして機能する。また、配色パターン画面Ｇ１から通常の操作画面Ｒ１に戻すには、配色パターン画面Ｇ１において大ボタンＢ１およびＢ４の双方が再度５秒間以上押し続けられればよい。
【００４４】
さらに、大ボタンＢ１は、後述する枠線付配色パターン画面において枠線の種類を切り換えるために用いられるボタンであり、大ボタンＢ２は枠線付配色パターン画面の表示対象に対する色の文字表示の有無を切り換えるために用いられるボタンである。
【００４５】
例えば、大ボタンＢ１が押下されるたびに、図１１に示したような、枠線の無い配色パターン画面（以下、これを「枠線なし配色パターン画面）と呼ぶことがある。）Ｇ１、図４に示すような白枠線の付加された配色パターン画面（以下、これを「白枠線付配色パターン画面」と呼ぶ。）ＷＧ１、図５に示すような黒枠線の付加された配色パターン画面（以下、これを「黒枠線付配色パターン画面」と呼ぶ。）ＢＧ１、図６に示すような２種枠線（後述する）の付加された配色パターン画面（以下、これを「２種枠線付配色パターン画面」と呼ぶ。）ＷＢＧ１、または、図７に示すような２種枠線付配色パターン画面ＢＷＧ１、図８に示すような白黒点線枠線（後述する）の付加された配色パターン画面（以下、これを「白黒点線枠線付配色パターン画面」と呼ぶ。）ＤＧ１の順番で表示部２の表示が切り換えられ、さらに続けて大ボタンＢ１が押下されると、枠線なし配色パターン画面Ｇ１に戻される。
【００４６】
また、大ボタンＢ２が押下されるたびに、上述の枠線付配色パターン画面の表示対象に対する配色の文字表示の有り、または、無しが切り換えられ、文字表示の有りに切り換えられたときには、温度表示部Ｓ１および設定温度表示部Ｓ２の数字表示が四角形表示に切り替えられる。
【００４７】
具体的には、大ボタンＢ２が押下されるたびに、図４および図８に示すような白枠線付配色パターン画面ＷＧ１、白黒点線枠線付配色パターン画面ＤＧ１と、図９および図１０に示すような色名称付の白枠線付配色パターン画面ＷＮＧ１、色名称付きの白黒点線枠線付配色パターン画面ＤＮＧ１との間で交互に切り替えられる。
【００４８】
さらに、大ボタンＢ３、Ｂ４は、枠線なし配色パターン画面Ｇ１、白枠線付配色パターン画面ＷＧ１、黒枠線付配色パターン画面ＢＧ１、２種枠線付配色パターン画面ＷＢＧ１またはＢＷＧ１、白黒点線枠線付配色パターン画面ＤＧ１の配色パターンを順番に切り換えるのに用いられるボタンである。
【００４９】
したがって、たとえば白枠線付配色パターン画面ＷＧ１において、大ボタンＢ３が押下されるたびに白枠線付配色パターン画面ＷＧ１〜ＷＧｎの配色パターンが順方向に切り替えられ、最後の白枠線付配色パターン画面ＷＧｎの次は最初の白枠線付配色パターン画面ＷＧ１に戻り、これが繰り返される。
【００５０】
一方、白枠線付配色パターン画面ＷＧ１において、大ボタンＢ４が押下されるたびに白枠線付配色パターン画面ＷＧ１〜ＷＧｎの配色パターンが逆方向に切り替えられ、最初の白枠線付配色パターン画面ＷＧ１の次は最後の白枠線付配色パターン画面ＷＧｎに戻り、これが繰り返される。
【００５１】
なお、以降の説明において、操作画面Ｒ１において、温度表示部Ｓ１、設定温度表示部Ｓ２、小ボタンｂ１〜ｂ６、大ボタンＢ１〜Ｂ４、および、円形ボタンＣ１〜Ｃ３を「表示対象」と呼ぶことがある。
【００５２】
この操作画面Ｒ１の背景画像Ｈ１は灰色であり、温度表示部Ｓ１は赤色でその中の数字が青色であり、設定温度表示部Ｓ２は緑色でその中の数字が青色であり、小ボタンｂ１、ｂ３、ｂ５は赤色であり、小ボタンｂ２、ｂ４、ｂ６は緑色であり、大ボタンＢ１〜Ｂ４は黄色であり、円形ボタンＣ１は赤色であり、円形ボタンＣ２は緑色であり、円形ボタンＣ３は青色である。この操作画面Ｒ１の背景画像Ｈ１および表示対象は、デフォルトの配色パターンで設定されており、色覚障害者が色を区別できるか否かを必ずしも考慮していない。
【００５３】
また、操作画面Ｒ１の小ボタンｂ１〜ｂ６、大ボタンＢ１〜Ｂ４、Ｃ１〜Ｃ３の内側領域には、各ボタンに割り当てられた機能を示すボタン名等が表示されている。
【００５４】
配色パターン画面記憶部４は、ハードディスクや半導体メモリ等で構成されており、複数の配色パターン画面Ｇ１〜Ｇｎ（ｎ：２以上の整数）を記憶する機能部である。
【００５５】
ここで、配色パターン画面Ｇ１〜Ｇｎは、操作画面Ｒ１の背景画像Ｈ１および複数の表示対象に対する配色パターンをオペレータが選択するためのモード（以下、これを「配色パターン選択モード」と呼ぶ。）において用いるために複数用意された画面である。
【００５６】
この配色パターン画面Ｇ１〜Ｇｎは、操作画面Ｒ１の背景画像Ｈ１および複数の表示対象と同じ背景画像Ｈ１および複数の表示対象（温度表示部Ｓ１、設定温度表示部Ｓ２、小ボタンｂ１〜ｂ６、大ボタンＢ１〜Ｂ４、および、円形ボタンＣ１〜Ｃ３）を有している。
【００５７】
配色パターン画面Ｇ１〜Ｇｎにおける複数の表示対象は、操作画面Ｒ１における複数の表示対象と少なくとも同じ形状、同じ大きさ、同じ数、および、同じ背景画像Ｈ１上の位置（レイアウト）に配置されている。ただし、配色パターン画面Ｇ１〜Ｇｎにおける背景画像Ｈ１の色および表示対象の色は、操作画面Ｒ１の配色パターンとは異なった様々な配色パターンに設定されている。
【００５８】
なお、操作画面Ｒ１と配色パターン画面Ｇ１〜Ｇｎとの違いは、操作画面Ｒ１の小ボタンｂ１〜ｂ６、大ボタンＢ１〜Ｂ４、Ｃ１〜Ｃ３の内側領域にはボタン名等が表示されているのに対し、配色パターン画面Ｇ１〜Ｇｎにはそれが表示されていないことである。その理由は、配色パターン画面Ｇ１は、複数の表示対象に対する配色パターンを選択するための画面であり、ボタン名等の表示は特に必要ないからである。
【００５９】
配色パターン画面記憶部４には、配色パターン画面Ｇ１〜Ｇｎとともに、配色パターン画面Ｇ１〜Ｇｎの表示対象にそれぞれ設定された色の名称、および、色の明度（例えば１（黒色）〜１０（白色）とする）等についても表示対象の色情報として記憶している。
【００６０】
枠線付配色パターン画面生成部５は、配色パターン画面Ｇ１〜Ｇｎにおける複数の表示対象の周縁に枠線を付加した枠線付配色パターン画面を生成する機能部である。ここで、枠線付配色パターン画面は、配色パターン画面Ｇ１〜Ｇｎの背景画像Ｈ１および複数の表示対象に枠線が付加された画面であり、両者の違いは枠線の有無である。
【００６１】
この枠線付配色パターン画面生成部５は、白枠線付加部５ａ、黒枠線付加部５ｂ、２種枠線付加部５ｃ、白黒点線枠線付加部５ｄを備えている。
【００６２】
白枠線付加部５ａは、配色パターン画面Ｇ１〜Ｇｎの温度表示部Ｓ１、設定温度表示部Ｓ２、小ボタンｂ１〜ｂ６、大ボタンＢ１〜Ｂ４、および、円形ボタンＣ１〜Ｃ３の周縁に白色の枠線（以下、これを「白枠線」と呼ぶ。）を付加する機能部である。
【００６３】
白枠線付加部５ａは、大ボタンＢ１が表示部２のタッチパネル２ａを介してタッチ入力されたことに応じて白枠線付配色パターン画面の生成命令であることを認識すると、配色パターン画面Ｇ１〜Ｇｎにおける複数の表示対象の全ての周縁に白枠線ＷＬが付加された白枠線付配色パターン画面ＷＧ１〜ＷＧｎ（図４参照。）を生成する。なお、図４では、便宜上、白枠線付配色パターン画面ＷＧ１についてのみ表示している。
【００６４】
黒枠線付加部５ｂは、配色パターン画面Ｇ１〜Ｇｎの温度表示部Ｓ１、設定温度表示部Ｓ２、小ボタンｂ１〜ｂ６、大ボタンＢ１〜Ｂ４、および、円形ボタンＣ１〜Ｃ３の周縁に黒色の枠線（以下、これを「黒枠線」と呼ぶ。）を付加する機能部である。
【００６５】
黒枠線付加部５ｂは、大ボタンＢ１が表示部２のタッチパネル２ａを介してタッチ入力されたことに応じて黒枠線付配色パターン画面の生成命令であることを認識すると、配色パターン画面Ｇ１〜Ｇｎにおける複数の表示対象の全ての周縁に黒枠線ＢＬが付加された黒枠線付配色パターン画面ＢＧ１〜ＢＧｎ（図５参照。）を生成する。なお、図５では、便宜上、黒枠線付配色パターン画面ＢＧ１についてのみ表示している。
【００６６】
２種枠線付加部５ｃは、配色パターン画面Ｇ１〜Ｇｎの温度表示部Ｓ１、設定温度表示部Ｓ２、小ボタンｂ１〜ｂ６、大ボタンＢ１〜Ｂ４、および、円形ボタンＣ１〜Ｃ３ごとの周縁に白枠線ＷＬまたは黒枠線ＢＬの何れか一方の枠線を付加する機能部である。
【００６７】
２種枠線付加部５ｃは、大ボタンＢ１が表示部２のタッチパネル２ａを介してタッチ入力されたことに応じて２種枠線付配色パターン画面の生成命令であることを認識すると、配色パターン画面Ｇ１〜Ｇｎにおける複数の表示対象ごとに、その周縁に白枠線ＷＬまたは黒枠線ＢＬが付加された２種枠線付配色パターン画面ＷＢＧ１〜ＷＢＧｎ、ＢＷＧ１（図６、図７参照。）〜ＢＷＧｎを生成する。なお、図６、図７では、便宜上、２種枠線付配色パターン画面ＷＢＧ１、ＢＷＧ１についてのみ表示している。
【００６８】
例えば、２種枠線付配色パターン画面ＷＢＧ１では、小ボタンｂ１〜Ｂ６の周縁に白枠線ＷＬが付加され、温度表示部Ｓ１および設定温度表示部Ｓ２の周縁に黒枠線ＢＬが付加され、大ボタンＢ１〜Ｂ４の周縁に白枠線ＷＬが付加され、円形ボタンＣ１〜Ｃ３の周縁に黒枠線ＢＬが付加されている。この場合、どの表示対象に白枠線ＷＬまたは黒枠線ＢＬを付加するのかは、表示対象の明度の値に応じて予め定められている。
【００６９】
２種枠線付配色パターン画面ＢＷＧ１では、複数の表示対象に付加された白枠線ＷＬおよび黒枠線ＢＬが２種枠線付配色パターン画面ＷＢＧ１における複数の表示対象に付加された白枠線ＷＬおよび黒枠線ＢＬと逆の状態になっている。この２種枠線付配色パターン画面ＢＷＧ１においても、どの表示対象に黒枠線ＢＬまたは白枠線ＷＬを付加するのかは、表示対象の明度の値に応じて予め定められている。
【００７０】
白黒点線枠線付加部５ｄは、配色パターン画面Ｇ１〜Ｇｎの温度表示部Ｓ１、設定温度表示部Ｓ２、小ボタンｂ１〜ｂ６、大ボタンＢ１〜Ｂ４、および、円形ボタンＣ１〜Ｃ３の周縁に、一定間隔で白色と黒色とが交互に配置された白黒点線状の枠線（以下、これを「白黒点線枠線」と呼ぶ。）を付加する機能部である。
【００７１】
白黒点線枠線付加部５ｄは、大ボタンＢ１が表示部２のタッチパネル２ａを介してタッチ入力されたことに応じて白黒点線枠線付配色パターン画面の生成命令であることを認識すると、配色パターン画面Ｇ１〜Ｇｎにおける全ての表示対象の周縁に白黒点線枠線ＤＬが付加された白黒点線枠線付配色パターン画面ＤＧ１〜ＤＧｎ（図８参照。）を生成する。なお、図８では、便宜上、白黒点線枠線付配色パターン画面ＤＧ１についてのみ表示している。
【００７２】
色名称付加部６は、上述した枠線付配色パターン画面ＷＧ１、ＢＧ１、ＷＢＧ１、ＢＷＧ１、ＤＧ１における温度表示部Ｓ１、設定温度表示部Ｓ２、小ボタンｂ１〜ｂ６、大ボタンＢ１〜Ｂ４、および、円形ボタンＣ１〜Ｃ３の内側領域に、表示対象の色の名称を表す白文字の英語表記および黒文字の英語表記の双方を同時に付加する機能部である。
【００７３】
色名称付加部６は、大ボタンＢ２がタッチ入力されたことに応じて色名称を付加する命令であることを認識すると、例えば、白枠線付配色パターン画像ＷＧ１（図４参照。）や、白黒点線枠線付配色パターン画面ＤＧ１（図８参照。）の表示対象に対し、その表示対象の色の名称をそれぞれ付加した、図９に示すような、色名称付きの白枠線付配色パターン画面ＷＮＧ１や、図１０に示すような、色名称付きの白黒点線枠線付配色パターン画面ＤＮＧ１等を生成する。
【００７４】
なお、色名称付加部６は、図示しないが、表示対象の色名称を付加した色名称付きの黒枠線配色パターン画面、色名称付きの２種枠線配色パターン画面についても生成することが可能である。
【００７５】
色名称付加部６は、色名称付きの白枠線付配色パターン画面ＷＮＧ１や、色名称付きの白黒点線枠線付配色パターン画面ＤＮＧ１における大ボタンＢ１〜Ｂ４のほぼ中央の領域に、白文字の英語表記「ｙｅｌｌｏｗ」および黒文字の英語表記「ｙｅｌｌｏｗ」で大ボタンＢ１〜Ｂ４の色の名称を付加する。ただし、図９、図１０においては、大ボタンＢ１についてのみ白文字の英語表記「ｙｅｌｌｏｗ」および黒文字の英語表記「ｙｅｌｌｏｗ」が付加されており、大ボタンＢ２〜Ｂ４についての色名称の英語表記については省略されている。
【００７６】
表示制御部７は、表示部２のタッチパネル２ａに対するタッチ入力に応じてオペレータの指示を受け付け、その指示に基づいて、操作画面記憶部３、配色パターン画面記憶部４、枠線付配色パターン画面生成部５、および、色名称付加部６を制御して表示部２の表示内容を制御する機能部である。
【００７７】
表示制御部７は、操作画面Ｒ１を表示部２に表示している通常表示モードから配色パターン選択モードに切り替えると、操作画面Ｒ１から上述した枠線付配色パターン画面ＷＧ１、ＢＧ１、ＷＢＧ１、ＢＷＧ１、ＤＧ１の何れかに表示部２の表示内容を切り換える。
【００７８】
なお、調節計１は、ＣＰＵ(Central Processing Unit)、メモリ、インタフェース等からなるコンピュータ（ハードウェア）にコンピュータプログラム（ソフトウェア）をインストールすることによって実現され、当該調節計１の各機能部は、コンピュータの各種ハードウェア資源とコンピュータプログラムとが協働することによって実現される。また、コンピュータプログラムは、コンピュータ読取可能な記録媒体や記憶装置に格納された状態で提供されても良く、或いは電気通信回線を介して提供されても良い。
【００７９】
＜配色パターン選択動作＞
調節計１の表示制御部７は、操作画面記憶部３から読み出した操作画面Ｒ１（図１参照。）を表示部２に表示する通常表示モードから配色パターン選択モードに切り替えた状態において、大ボタンＢ１およびＢ２がタッチパネル２ａを介してタッチ入力されて、色名称付きの白枠線付配色パターン画面ＷＧ１の表示命令を受け付けたと認識した場合を想定して以下説明する。
【００８０】
この場合、表示制御部７は、配色パターン画面記憶部４から配色パターン画面Ｇ１を読み出し、これを枠線付配色パターン画面生成部５の白枠線付加部５ａに出力する。
【００８１】
白枠線付加部５ａは、配色パターン画面Ｇ１における複数の表示対象の周縁に白枠線ＷＬを付加した白枠線付配色パターン画面ＷＧ１（図４を参照。）を生成し、これを色名称付加部６に出力する。
【００８２】
色名称付加部６は、白枠線付配色パターン画面ＷＧ１の温度表示部Ｓ１、設定温度表示部Ｓ２、小ボタンｂ１〜ｂ６、大ボタンＢ１〜Ｂ４、および、円形ボタンＣ１〜Ｃ３の内側領域に色の名称を表す白文字および黒文字の双方の英語表記を付加した後、表示制御部７を介して表示部２に出力する。
【００８３】
表示部２は、色名称付加部６から受け取った色名称付きの白枠線付配色パターン画面ＷＮＧ１（図９を参照。）を表示する。この結果、周縁に白枠線ＷＬが付加されるとともに温度表示部Ｓ１、設定温度表示部Ｓ２、小ボタンｂ１〜ｂ６、大ボタンＢ１〜Ｂ４、および、円形ボタンＣ１〜Ｃ３の内側領域に色名称が付加された白枠線付配色パターン画面ＷＮＧ１が表示部２に表示されることになる。
【００８４】
このとき、オペレータが、赤色の小ボタンｂ１、ｂ３、ｂ５と緑色の小ボタンｂ２、ｂ４、ｂ６とが同じ色に見えてしまう色覚障害者であっても、白枠線ＷＬの存在により、６個の小ボタンｂ１〜ｂ６が存在することを容易に認識し、かつ、色名称の英語表記を介して小ボタンｂ１〜ｂ６それぞれの配色についても正確に認識することができる。
【００８５】
この色名称付きの白枠線付配色パターン画面ＷＮＧ１では、明度の値の小さい色の背景画像Ｈ１に対してコントラスト比の高い色の白枠線ＷＬにより複数の表示対象が囲まれているので、オペレータに対して白枠線ＷＬの存在により複数の小ボタンｂ１〜ｂ６の存在を容易に認識させることができる。
【００８６】
すなわち、オペレータは、色名称付きの白枠線付配色パターン画面ＷＮＧ１の配色パターンでは小ボタンｂ１〜ｂ６の存在および色を正確に認識できない場合であっても、白枠線ＷＬの存在により小ボタンｂ１〜ｂ６の存在を直感的に理解することができる。
【００８７】
なお、色名称付きの白枠線付配色パターン画面ＷＮＧ１では、表示対象の内側領域に色の名称を表す英語表記が白文字および黒文字の双方で付加されているので、表示対象の色が明度の値の低い例えば青色の場合、明度の値の高い白文字の英語表記を介してオペレータは色名称を容易に目視確認することができる。同様に、表示対象の色が明度の値の高い例えば黄色の場合、明度の値の低い黒文字の英語表記を介してオペレータは色名称を容易に目視確認することができる。
【００８８】
オペレータは、色名称付きの白枠線付配色パターン画面ＷＮＧ１における小ボタンｂ１〜ｂ６の存在を枠線により認識したものの、この配色パターンでは操作画面Ｒ１において小ボタンｂ１〜ｂ６の色を認識し難いと感じた場合、大ボタンＢ３をタッチ操作して次の配色パターンでなる色名称付きの白枠線付配色パターン画面ＷＮＧ２を要求する。
【００８９】
表示制御部７は、オペレータからの要求にしたがって、次の配色パターンでなる色名称付きの白枠線付配色パターン画面ＷＮＧ２を表示部２に表示する。オペレータは、この色名称付きの白枠線付配色パターン画面ＷＮＧ２において小ボタンｂ１〜ｂ６の色を区別可能な状態で認識できた場合、タッチパネル２ａを介してこの白枠線付配色パターン画面ＷＮＧ２を選択し決定する。
【００９０】
表示制御部２は、タッチパネル２ａを介して決定された色名称付きの白枠線付配色パターン画面ＷＮＧ２の配色パターンにしたがって背景画像Ｈ１および小ボタンｂ１〜ｂ６等の配色を変更した操作画面Ｒ１を生成し、これを表示部２に表示する。
【００９１】
これによりオペレータは、自身で選択した色名称付きの白枠線付配色パターン画面ＷＮＧ２と同じ配色パターンの操作画面Ｒ１を目視することになるので、操作画面Ｒ１において枠線が付加されていない小ボタンｂ１〜ｂ６を正確に区別して認識することができる。
【００９２】
ところで、色覚障害者のオペレータは、色名称付きの白枠線付配色パターン画面ＷＮＧ１における白枠線ＷＬでは複数の表示対象をそれぞれ区別して認識することが難しいと感じた場合、枠線の種類を切り換えるために大ボタンＢ１をタッチ入力すれば良い。
【００９３】
これにより表示制御部７は、色名称の付加された黒枠線付配色パターン画面ＢＧ１、色名称の付加された２種枠線付配色パターン画面ＢＷＧ１、ＷＢＧ１、または、図１０に示すような、色名称付きの白黒点線枠線配色パターン画面ＤＮＧ１を生成して表示部２に表示することができる。
【００９４】
色名称の付加された黒枠線付配色パターン画面ＢＧ１では、表示対象の周縁に黒枠線ＢＬが付加されているので、明度の値が大きい小ボタンｂ１〜ｂ６に対して明度の値の小さい黒枠線ＢＬがオペレータにとって鮮明に見え、かくしてオペレータに対して小ボタンｂ１〜ｂ６の存在を瞬時かつ直観的に認識させることができる。
【００９５】
また、色名称の付加された２種枠線付配色パターン画面ＢＷＧ１、ＷＢＧ１では、背景画像Ｈ１や複数の表示対象の配色に応じて必ず白枠線ＷＬまたは黒枠線ＢＬの少なくとも一方がオペレータにとって鮮明に見えるとともに、白文字および黒文字の英語表記の少なくとも一方が必ずオペレータにとって鮮明に見えるので、オペレータに対して複数の表示対象の存在およびその色を正確に認識させることができる。
【００９６】
さらに、色名称が付加された白黒点線枠線付配色パターン画面ＤＮＧ１では、背景画像Ｈ１や複数の表示対象の配色が明度の値の小さい暗い色の場合、白黒点線を構成している白色が主に認識されるため、白の点線としてオペレータには鮮明に見える。
【００９７】
また、背景画像Ｈ１や複数の表示対象の配色が明度の値の大きい明るい色の場合、白黒点線を構成している黒色が主に認識されるため、黒の点線としてオペレータには鮮明に見える。したがって、白黒点線枠線付配色パターン画面ＤＮＧ１では、オペレータに対して複数の表示対象の存在を瞬時に認識させることができる。
【００９８】
さらに、この白黒点線枠線付配色パターン画面ＤＮＧ１では、白文字および黒文字の英語表記の少なくとも一方がオペレータにとって鮮明に見えるので、オペレータに対して複数の表示対象の色についても正確に認識させることができる。
【００９９】
これによりオペレータが色覚障害者であっても、白枠線ＷＬ、黒枠線ＢＬ、２種枠線（白枠線ＷＬおよび黒枠線ＢＬ）、または、白黒点線枠線ＤＬにより、背景画像Ｈ１の中に複数の表示対象が存在し、それぞれが何色であるかを正確に認識することができる。そして、オペレータは、複数の表示対象の色を正確に認識したうえで、大ボタンＢ３またはＢ４を押下することにより、配色パターンを順番に切り換えながら、表示対象に対する色の区別が可能な配色パターンを最終的に選択し決定することができる。
【０１００】
かくしてオペレータは、色名称付きの白枠線付配色パターン画面ＷＮＧ１、色名称の付加された黒枠線付配色パターン画面ＢＧ１、色名称の付加された２種枠線付配色パターン画面ＢＷＧ１、ＷＢＧ１、または、色名称付きの白黒点線枠線配色パターン画面ＤＮＧ１を介して、操作画面Ｒ１において正確に認識可能な配色パターンを容易に選択して決定することが可能となる。
【０１０１】
＜効果＞
このように調節計１では、実際に通常表示モードにおいて表示される操作画面Ｒ１の複数の表示対象と同一の形状、同一のサイズ、同一の数および同一のレイアウトの色名称付きの白枠線付配色パターン画面ＷＮＧ１を表示部２に表示する。
【０１０２】
このとき、操作画面Ｒ１の表示対象と色名称付きの白枠線付配色パターン画面ＷＮＧ１の表示対象との間に見た目の印象的な差が少ないため、色名称付きの白枠線付配色パターン画面ＷＮＧ１を目視したオペレータは配色パターンを選択する際に操作画面Ｒ１との違和感を覚えずに済む。
【０１０３】
また、調節計１は、操作画面Ｒ１の配色パターンをオペレータが選択する配色パターン選択モードのときだけ、色名称付きの白枠線付配色パターン画面ＷＮＧ１を表示部２に表示し、通常表示モードのときには操作画面Ｒ１を表示部２に表示することにより、通常表示モードのときには操作画面Ｒ１のフラットデザインの優位性を維持することができる。
【０１０４】
さらに調節計１は、配色パターン選択モードのときには、色名称付きの白枠線付配色パターン画面ＷＮＧ１の白枠線ＷＬにより複数の表示対象の存在および色をオペレータに正確に認識させることができるので、色覚障害者のオペレータが最適な配色パターンを選択する際の支援を行うことができる。
【０１０５】
＜他の実施の形態＞
なお、上述した実施の形態においては、色名称付加部６により白文字および黒文字の双方の英語表記で色名称を表示対象に付加するようにした場合について述べた。しかしながら、本発明はこれに限らず、表示対象の色と一定のコントラスト比が得られる場合に限り、白文字または黒文字の何れか一方の色名称を付加するようにしてもよい。
【０１０６】
また、上述した実施の形態においては、色名称付加部６により白文字および黒文字の双方の英語表記で色名称を表示対象に付加するようにした場合について述べた。しかしながら、本発明はこれに限らず、表示制御部７の制御により表示対象に付加する白文字の英語表記、黒文字の英語表記を一定時間間隔で交互に表示するようにしてもよい。
【０１０７】
この場合、例えば、白文字の英語表記だけを付加した色名称付きの白枠線付配色パターン画面ＷＮＧ１、および、黒文字の英語表記だけを付加した色名称付きの白枠線付配色パターン画面ＷＮＧ１を生成し、表示制御部７により一定時間間隔で表示部２に交互に表示すれば良い。
【０１０８】
さらに、上述した実施の形態においては、２種枠線付配色パターン画面ＷＢＧ１、ＢＷＧ１のように、複数の表示対象に対して予め定められた白枠線ＷＬまたは黒枠線ＢＬが付加されているようにした場合について述べたが、本発明はこれに限らず、枠線付配色パターン画面生成部５は、表示対象の色の明度の値が所定の閾値以下となる暗い色の場合に白枠線ＷＬを付加し、表示対象の色の明度の値が所定の閾値を超える明るい色の場合に黒枠線ＢＬを付加するように、色の明度の値に応じてコントラスト比の高くなる白枠線ＷＬまたは黒枠線ＢＬを必ず組み合わせて付加するようにしてもよい。
【０１０９】
さらに、上述した実施の形態においては、配色パターン画面Ｇ１〜Ｇｎにおける表示対象を、操作画面Ｒ１の表示対象と同じ形状、同じ大きさ、同じ数、および、同じ背景画像Ｈ１上の位置（レイアウト）とするようにした場合について述べた。しかしながら、本発明はこれに限るものではなく、配色パターン画面Ｇ１〜Ｇｎにおける複数の表示対象のレイアウトが、操作画面Ｒ１における複数の表示対象のレイアウトと同一であり、オペレータが配色パターン画面Ｇ１〜Ｇｎと操作画面Ｒ１との間で違和感を受けないと考えられる範囲で、その形状、大きさ、数等を変更してもよい。
【０１１０】
さらに、上述した実施の形態においては、調節計１に適用するようにした場合について述べた。しかしながら、本発明はこれに限らず、複数の表示対象を選択対象として表示するその他種々の電子機器に適用するようにしてもよい。
【符号の説明】
【０１１１】
１……調節計、２……表示部、２ａ……タッチパネル、３……操作画面記憶部、４……配色パターン画面記憶部（記憶部）、５……枠線付配色パターン画面生成部（生成部）、５ａ……白枠線付加部、５ｂ……黒枠線付加部、５ｃ……２種枠線付加部、５ｄ……白黒点線枠線付加部、６……色名称付加部（生成部）、７……表示制御部。
【図２】
2017004090.tif 000003
【図３】
2017004090.tif 000004
【図１】
2017004090.tif 000005
【図４】
2017004090.tif 000006
【図５】
2017004090.tif 000007
【図６】
2017004090.tif 000008
【図７】
2017004090.tif 000009
【図８】
2017004090.tif 000010
【図９】
2017004090.tif 000011
【図１０】
2017004090.tif 000012
【図１１】
2017004090.tif 000013